(57)【要約】【課題】皮膚表面及び皮膚深部の皮膚細胞にダメージを与えることがなく、使用中においても不快感を与えることがなく、更には心身をリラックスさせ疲労回復及び痩身にも効果のある、超音波美容器を得る。【解決手段】超音波を発生させるための超音波発振部２と、１／ｆゆらぎ波を発生させるための１／ｆゆらぎ発振部３と、前記超音波と１／ｆゆらぎ波を合成して振幅変調波を生成するための変調部４と、該振幅変調波の出力を増幅するための増幅部５と、電気的信号を物理的振動に変換するための発振子７と、前記各回路ブロックに電圧を供給するための電源部８等により構成する。【選択図】　　　　図１
2004065894.tif 000002
【特許請求の範囲】
【請求項１】
超音波を発生させるための超音波発振部（２）と、１／ｆゆらぎ波を発生させるための１／ｆゆらぎ発振部（３）と、前記超音波と１／ｆゆらぎ波を合成して振幅変調波を生成するための変調部（４）と、該振幅変調波の出力を増幅するための増幅部（５）と、電気的信号を物理的振動に変換するための発振子（７）と、前記各回路ブロックに電圧を供給するための電源部（８）等により構成することを特徴とした、超音波美容器。
【請求項２】
１／ｆゆらぎ発振部（３）で発生する発振周波数を０．５Ｈｚ〜４Ｈｚのデルタ波とし、内蔵のボリウム（９）により可変できることを特徴とした、請求項１に記載の超音波美容器。
【請求項３】
変調部（４）において、内蔵のボリウム（１０）により変調度を０〜１００％まで可変できることを特徴とした、請求項１に記載の超音波美容器。
【発明の詳細な説明】
【０００１】
【発明の属する技術分野】
本発明は、顔や身体の皮膚を超音波発振子による振動により活性化させ新陳代謝を促すことにより、皮膚を若返らせたり身体の余分な脂肪を落とすことができる、超音波美容器に関するものである。
【０００２】
【従来の技術】
従来、皮膚特に顔の皮膚を若返らせたり身体の余分な脂肪を落とすための超音波を利用した美容器具として、超音波発振部や電源部等を内蔵した本体と発振子を内蔵したプローブとをコードで接続した卓上型の超音波美容器や、前記超音波発振部や電源部等と発振子を１個の筐体に内蔵して小型軽量化した携帯型の超音波美容器等がある。
【０００３】
該超音波美容器の本体部には、超音波発振部，電源部及び増幅部等が内蔵され、外部プローブ又は内蔵プローブ内の発振子に前記増幅部の出力が接続されている。使用時においては、まずプローブを当てる顔又は身体の部位にパラベン等を含有した専用ジェルを塗布し、その上からマッサージを行うようにプローブを押し当てる。そうすることによりプローブから発振される超音波振動が角質層を貫通して皮膚深部の真皮にまで伝わり、老化した皮膚や毛穴から不純物を除去して皮膚を活性化させ、新陳代謝を促すことができる。これにより、皮膚を若返らせたり身体の余分な脂肪を落とすことができるものである。
【０００４】
【発明が解決しようとする課題】
しかしながら、従来の超音波美容器における超音波発振部の発振周波数は０．５ＭＨｚ〜４ＭＨｚの帯域が一般的であり、該周波数成分は正弦波又は矩形波による超音波発振であり、プローブから発振される超音波振動による刺激を皮膚に対して連続的に与えている。該超音波発振の出力レベルは使用効果を高めるために比較的高く設定されており、出力レベルを下げると使用効果も落ちるため弱くすることはない。このような条件の下で超音波美容器を使用し続けると、皮膚の弱い使用者は勿論のこと一般の使用者においても皮膚表面及び皮膚深部の皮膚細胞に大きなダメージを与えてしまうといった問題点があった。また、使用中においても不快感を与えてしまうといった問題点があった。
【０００５】
本発明は、上記のような問題点を解決するために成されたものであり、皮膚表面及び皮膚深部の皮膚細胞にダメージを与えることがなく、使用中においても不快感を与えることがなく、更には心身をリラックスさせ疲労回復及び痩身にも効果のある、超音波美容器を提供することを目的とする。
【０００６】
【課題を解決するための手段】
上記課題を解決するため、本発明の超音波美容器１においては、超音波を発生させるための超音波発振部２と、１／ｆゆらぎ波を発生させるための１／ｆゆらぎ発振部３と、前記超音波と１／ｆゆらぎ波を合成して振幅変調波を生成するための変調部４と、該振幅変調波の出力を増幅するための増幅部５と、電気的信号を物理的振動に変換するための発振子７と、前記各回路ブロックに電圧を供給するための電源部８等により構成する。
【０００７】
また、前記１／ｆゆらぎ発振部３で発生する発振周波数を０．５Ｈｚ〜４Ｈｚのデルタ波とし、内蔵のボリウム９により可変できるようにする。
【０００８】
また、前記変調部４において、内蔵のボリウム１０により変調度を０〜１００％まで可変できるようにする。
【０００９】
【発明の実施の形態及び実施例】
本発明の実施の形態及び実施例を図を用いて説明する。図１は本発明の超音波美容器を構成する一実施例における回路ブロック図であり、図２は本発明の超音波美容器の変調出力波形例である。
【００１０】
図１に示すように、本発明の超音波美容器１は、超音波を発生させるための超音波発振部２と、１／ｆゆらぎ波を発生させるための１／ｆゆらぎ発振部３と、前記超音波と１／ｆゆらぎ波を合成して振幅変調波を生成するための変調部４と、該振幅変調波の出力を増幅するための増幅部５と、電気的信号を物理的振動に変換するための発振子７と、前記各回路ブロックに電源を供給するための電源部８等により構成する。
【００１１】
超音波発振部２における発振周波数は一般的な０．５ＭＨｚ〜４ＭＨｚの帯域とし、該発振波形は正弦波，矩形波又はデジタル擬似正弦波等を使用する。実際の超音波美容器１における発振周波数及び発振波形の設定は、超音波美容器１のモデル毎に任意に設定した固定式としたり、いくつかのパターンを有した選択式としても構わない。
【００１２】
１／ｆゆらぎ発振部３における発振周波数は０．５Ｈｚ〜４Ｈｚの帯域とし、発振波形は正弦波とする。該０．５Ｈｚ〜４Ｈｚの周波数は、人の脳波におけるデルタ波と呼ばれるものであり、無意識状態の周波数である。該デルタ波は、アルファ波（７Ｈｚ〜１４Ｈｚ）やシータ波（４〜７Ｈｚ）と共に心身をリラックスさせ疲労回復に効果があるとされる１／ｆゆらぎ周波数である。本発明の超音波美容器１は前記１／ｆゆらぎ周波数の中でも効果の高いデルタ波を採用している。また、該デルタ波の周波数は、使用者の好みに応じて内蔵のボリウム９により可変することができる。
【００１３】
変調部４では、上記超音波発振部２から発生した超音波と、１／ｆゆらぎ発振部３から発生した１／ｆゆらぎ波を合成し、図２に示す振幅変調波を生成する。該図において、０．５ＭＨｚ〜４ＭＨｚの超音波成分１１が０．５Ｈｚ〜４Ｈｚの１／ｆゆらぎ成分１２により振幅変調されているのが分かる。ここで、該振幅変調のピーク最大値を“ａ”とし、ピーク最小値を“ｂ”とすれば、変調度（％）は（ａ−ｂ）×１００／（ａ＋ｂ）という式で表せ、使用者の好みに応じて内蔵のボリウム１０により変調度を０〜１００％まで可変できるものである。なお、前記デルタ波の周波数や変調度を可変式とせず、超音波美容器１のモデル毎に任意に設定した固定式としても構わない。
【００１４】
増幅部５では、上記振幅変調波を外部プローブ６又は内蔵プローブに接続された発振子７を超音波振動させることができる出力レベルにまで信号増幅させるものである。
【００１５】
電源部８では、前述の超音波発振部２，１／ｆゆらぎ発振部３，変調部４及び増幅部５等に電源を供給するものであり、外部の交流電源又は直流電源を安定化した直流電源に変換するものである。なお、携帯型の超音波美容器１であれば、該電源部８をアルカリ乾電池等の１次電池としたり、充電可能なリチウムイオン電池等の２次電池としても構わない。
【００１６】
以上のような各回路ブロックで構成された本発明の超音波美容器１において、発振子７から発生する超音波振動は、図２に示す０．５Ｈｚ〜４Ｈｚのデルタ波で振幅変調された変調波であり、該変調波による超音波振動により顔や身体の皮膚をマッサージするようにすると、従来の連続的な超音波振動の場合と異なり出力レベルを下げても使用効果は落ちることなく同等に得られると共に１／ｆゆらぎによるリラックス効果も得られる。このため、一般の使用者は勿論のこと皮膚の弱い使用者においても皮膚表面及び皮膚深部の皮膚細胞にダメージを与えることがなく、使用中においても不快感を与えることがなく、更には心身をリラックスさせ疲労回復及び痩身にも効果がある。
【００１７】
【発明の効果】
以上述べたように、本発明の超音波美容器を使用して顔や身体の皮膚をマッサージするようにすれば、従来の超音波美容器より超音波振動の出力を下げても使用効果は落ちることなく同等に得られるため、一般の使用者は勿論のこと皮膚の弱い使用者においても皮膚表面及び皮膚深部の皮膚細胞にダメージを与えることがなく、使用中においても不快感を与えることがなく、更には１／ｆゆらぎ波であるデルタ波の周波数成分により心身をリラックスさせ疲労回復及び痩身にも効果を発揮するという絶大なる効果を奏することができる。
【図面の簡単な説明】
【図１】本発明の超音波美容器を構成する一実施例における回路ブロック図である。
【図２】本発明の超音波美容器の変調出力波形例である。
【符号の説明】
１　超音波美容器
２　超音波発振部
３　１／ｆゆらぎ発振部
４　変調部
５　増幅部
６　外部プローブ
７　発振子
８　電源部
９　ボリウム
１０　ボリウム
１１　超音波成分
１２　１／ｆゆらぎ成分
【図１】
2004065894.tif 000003
【図２】
2004065894.tif 000004